(57)【要約】【課題】  リム組みされた空気入りタイヤの偏芯嵌合量の測定を簡便に、しかも正確に行えるようにする空気入りタイヤ用ホイール及びこのホイールを利用する空気入りタイヤの偏芯嵌合量測定方法を提供する。【解決手段】  リムフランジ１ｆの外周部内壁に半径方向外向きの係止面４ａ，５ａをもつ凹溝４又は凸部５を設け、該係止面４ａ，５ａをホイール回転軸を中心とする同一半径Ｒの円周上に間欠的に又は連続的に配置した空気入りタイヤ用ホイールである。このホイールにタイヤをリム組みし、周方向に複数に分割された箇所でそれぞれ空気入りタイヤとリムフランジとの隙間にスケールＳを係止面４ａ，５ａに当接するまで差し込み、該係止面とリムチェックライン３との距離を測定する。【選択図】      図１
2005297717.tif 000002
【特許請求の範囲】
【請求項１】
リムフランジの外周部内壁に半径方向外向きの係止面をもつ凹溝又は凸部を設け、該係止面をホイール回転軸を中心とする同一半径の円周に沿って間欠的に又は連続的に配置した空気入りタイヤ用ホイール。
【請求項２】
前記係止面を前記リムフランジが空気入りタイヤと非接触となる領域に形成した請求項１に記載の空気入りタイヤ用ホイール。
【請求項３】
前記係止面のホイール回転軸を含む断面での形状を直線状にした請求項１又は２に記載の空気入りタイヤ用ホイール。
【請求項４】
前記係止面のホイール半径方向の幅が０．３〜１．０ｍｍである請求項１，２又は３に記載の空気入りタイヤ用ホイール。
【請求項５】
前記係止面を前記リムフランジの周方向に８〜３２に等分割された箇所に間欠的に配置した請求項１〜４のいずれかに記載の空気入りタイヤ用ホイール。
【請求項６】
前記リムフランジの外周部に前記係止面が配置された箇所に対応してマーキングを施した請求項５に記載の空気入りタイヤ用ホイール。
【請求項７】
前記係止面を前記円周に沿って連続形成したホイールにおいて、前記リムフランジの外周部に周方向に８〜３２に等分割された箇所にマーキングを施した請求項１〜４のいずれかに記載の空気入りタイヤ用ホイール。
【請求項８】
請求項１〜７のいずれかに記載のホイールに空気入りタイヤをリム組みし、前記リムフランジの周方向に複数に分割された箇所でそれぞれ前記空気入りタイヤとリムフランジとの隙間にスケールを前記係止面に当接するまで差し込み、該係止面と前記空気入りタイヤ側面のリムチェックラインとの距離を測定する空気入りタイヤの偏芯嵌合量測定方法。
【発明の詳細な説明】
【技術分野】
【０００１】
本発明は空気入りタイヤ用ホイール及びこのホイールを利用する空気入りタイヤの偏芯嵌合量測定方法に関し、更に詳しくは、リム組みされた空気入りタイヤの偏芯嵌合量を簡便かつ正確に行える空気入りタイヤ用ホイール及びこのホイールを利用する空気入りタイヤの偏芯嵌合量測定方法に関する。
【背景技術】
【０００２】
空気入りタイヤをホイールにリム組みした場合、その空気入りタイヤのホイールに対する偏芯嵌合量が大きいと、走行中にタイヤが振動を発生して乗り心地を悪化し、またタイヤに偏摩耗を発生して寿命を短縮させるなどの問題がある。従来、このような問題の原因になる空気入りタイヤの偏芯嵌合状態を確認する手段として、一般にビード部のリムクッション部表面に凸状のリムチェックラインがタイヤ周方向に延長するように設けられている（特許文献１等）。すなわち、このリムチェックラインとリムフランジ外周との距離をタイヤ周方向の数箇所で異同を目測することにより偏芯嵌合状態の有無を知ることができる。
【０００３】
上記偏芯嵌合状態の有無を定量的な評価によってタイヤの管理する場合には、図４のようにスケールを使用して測定を行っている。
【０００４】
すなわち、図４（Ａ）に示すように、リム組みされた空気入りタイヤのビード部２とリムフランジ１ｆとの隙間に金尺などのスケールＳを先端が隙間の最奥端に当接するまで差し込み、その最奥端とビード部２の表面のリムチェックライン３までの距離ａを測定し、この測定作業をリムフランジ周方向の複数箇所でそれぞれ実施し、各箇所での測定値ａの相互間の差をもって偏芯嵌合量を評価するようにしている。
【０００５】
しかし、上記測定作業においては、リムフランジ１ｆの壁面が凸状の湾曲面であることから、必ずしも図４（Ａ）のように、スケールＳの先端がビード部２とリムフランジ１ｆの隙間の最奥端にまで達するとは限らず、図４（Ｂ）のように、リムフランジ１ｆ内壁の途中に係止されてしますことがある。このようにスケールＳの先端の係止位置が様々に変化して不安定であることから測定値の誤差が大きく、高精度に嵌合偏芯量を測定することができないという問題があった。
【特許文献１】特開２００２−２５４９０８号公報，段落〔０００９〕，図１
【発明の開示】
【発明が解決しようとする課題】
【０００６】
本発明の目的は、上述した問題を解消し、リム組みされた空気入りタイヤの偏芯嵌合量の測定を簡便に、しかも正確に行えるようにする空気入りタイヤ用ホイール及びこのホイールを利用する空気入りタイヤの偏芯嵌合量測定方法を提供することにある。
【課題を解決するための手段】
【０００７】
上記目的を達成する本発明の空気入りタイヤ用ホイールは、リムフランジの外周部内壁に半径方向外向きの係止面をもつ凹溝又は凸部を設け、該係止面をホイール回転軸を中心とする同一半径の円周に沿って間欠的に又は連続的に配置したことを特徴とするものである。
【０００８】
また、本発明の空気入りタイヤの偏芯嵌合測定方法は、上記ホイールに空気入りタイヤをリム組みし、前記リムフランジの周方向に複数に分割された箇所でそれぞれ前記空気入りタイヤとリムフランジとの隙間にスケールを前記係止面に当接するまで差し込み、該係止面と前記空気入りタイヤ側面のリムチェックラインとの距離を測定することを特徴とするものである。
【発明の効果】
【０００９】
本発明によれば、リムフランジの外周部内壁に半径方向外向きの係止面をもつ凹溝又は凸部を設け、かつこの係止面をホイール回転軸を中心とする同一半径の円周に沿って配置したので、リムフランジと空気入りタイヤとの隙間にスケールを差し込めば必ずスケール先端を基準の定位置に係止させ、リムチェックラインまでの距離を正確に測定することができる。
【００１０】
したがって、リムチェックラインまでの距離をリムフランジ周方向の複数箇所で測定し、それら測定値の相互間の差を求める測定方法を行うことにより、空気入りタイヤの偏芯嵌合量を簡便かつ高精度に測定することができる。                    
【発明を実施するための最良の形態】
【００１１】
以下、図に示す本発明の実施形態に基づいて具体的に説明する。
【００１２】
図１は、本発明の実施形態からなる空気入りタイヤ用ホイールを、そのリム片側部分を空気入りタイヤを装着した状態で示す子午線断面図である。
【００１３】
１はホイールの外周部のリム、２はリム１に装着された空気入りタイヤのビード部、Ｓは偏芯嵌合量の測定に使用されるスケールである。
【００１４】
空気入りタイヤのビード部２はリム１のリムシート１ｓに着座し、かつ外側面をリムフランジ１ｆに支えられるようにリム組みされている。また、リムクッション部２ｃの表面には、リムチェックライン３がタイヤ回転軸を中心に同一半径の円周上に凸状、かつタイヤ周方向に延長するように形成されている。
【００１５】
リムフランジ１ｆの外周部の内壁には、半径方向外向きの係止面４ａを有する凹溝４がホイール回転軸を中心とする同一の半径Ｒの円周上に形成されている。凹溝４は上記半径Ｒの円周に沿って間欠的に複数箇所に分散していてもよく、或いは全周に連続していてもよい。
【００１６】
上記構成のホイールを使用して空気入りタイヤの嵌合偏芯量を測定する操作は、以下に説明するように行う。
【００１７】
まず、上記構成のホイールに空気入りタイヤをリム組み状態にする。次いで、測定箇所として、リムフランジ１ｆの周方向に等分割された複数の箇所を設定する。これら複数の箇所は、リムフランジ１ｆに設けた係止面４ａが全周に連続するように形成されている場合は任意の位置に設定できるが、複数の位置に間欠的に形成されている場合は、それぞれの係止面４ａがある位置に対応させるようにする。
【００１８】
各測定箇所において、リムフランジ１ｆとタイヤビード部２との隙間に外径側からスケールＳを差し込むと、その先端が係止面４ａに受け止められるので、この係止面４ａとリムチェックライン３との距離をスケールＳによって読み取る。この測定操作を設定された全測定箇所において行う。このようにして測定された距離は、係止面４ａがホイール回転軸を中心とする同一の半径Ｒの円周上に形成されているため、それぞれホイール回転軸からの距離に対応した高精度の値になる。したがって、これら複数箇所の測定値について、相互間の差を求めることにより高精度の偏芯嵌合量を得ることができる。
【００１９】
本発明において、測定に使用するスケールは、リム組みされた空気入りタイヤのビード部とリムフランジとの隙間に挿入可能なものであれば特に限定されるものではなく、従来偏芯嵌合量の測定に使用されているものがいずれも使用可能である。例えば、厚さ０．３〜０．５ｍｍ程度の薄板状の金尺や、径が０．３〜０．５ｍｍ程度のロッド状の棒尺などを使用することができる。
【００２０】
上記係止面４ａとしては、図１のように断面三角形の凹溝４に形成されるものに限定されない。例えば、図２に例示するように、リムフランジ１ｆの内壁から突出する凸部５に形成される係止面５ａであってもよく、また図３に例示するように、断面四角状の凹溝４’の底部に形成された係止面４ａ’などであってもよい。しかし、いずれの場合にも、それら係止面は半径方向外側に向くようにし、差し込んだスケールＳの先端部を受け止め可能になっていなければならない。
【００２１】
リムフランジ上の係止面の位置は、原則として空気入りタイヤが接触しない非接触領域であることが好ましい。また、係止面の形状としては、リムフランジの周方向には半径Ｒの円周に沿う円弧状であるが、ホイール回転軸を含む断面では直線状になっていることが好ましい。このように直線状にすることにより、スケールの先端を係止面に安定に係止させることができるため、偏芯嵌合量の測定をより高精度にすることができる。
【００２２】
また、係止面のホイール半径方向の幅ｗとしては、０．３〜１．０ｍｍ程度であることが好ましい。０．３ｍｍよりも狭いとスケールの挿入が難しくなり、また１．０ｍｍよりも広いと、スケールの当接位置にバラツキができるので測定誤差を生じ易くなる。
【００２３】
上記係止面をリムフランジの周方向に間欠的に形成する場合には、周方向を等分割した８〜３２の箇所に配置するようにするとよく、さらに好ましくは１６〜３２の箇所に配置するとよい。また、係止面を周方向を等分割した位置に配置した場合は、それぞれの係止面の位置が測定箇所になるので、これら係止面に対応してリムフランジ外周部の表面にマーキングを施すようにすることが好ましい。マーキングするマークは点や線などでよく、刻印及び／又は着色などで行うとよい。このように測定箇所を明示するようにマーキングすることで、高精度の偏芯嵌合量の測定が一層容易に行えるようになる。
【００２４】
係止面をリムフランジの周方向に連続的に形成する場合には、上記マーキングはリムフランジの周方向に任意に等分割した位置にすればよい。また、分割数としては、８〜３２の箇所、さらに好ましくは１６〜３２の箇所にするのがよい。
【図面の簡単な説明】
【００２５】
【図１】本発明の実施形態からなる空気入りタイヤ用ホイールを、そのリム片側部分について空気入りタイヤを装着した状態で示す子午線断面図である。
【図２】本発明の他の実施形態の空気入りタイヤ用ホイールの要部を示す断面図である。
【図３】本発明の更に他の実施形態の空気入りタイヤ用ホイールの要部を示す断面図である。
【図４】（Ａ），（Ｂ）は、それぞれ従来の空気入りタイヤ用ホイールを使用して偏芯嵌合量を測定する場合を示す説明図である。
【符号の説明】
【００２６】
１  リム
１ｆ  リムフランジ
２  ビード部
３  リムチェックライン
４，４’  凹溝
５  凸部
４ａ，４ａ’，５ａ  係止面
Ｓ  スケール
【図１】
2005297717.tif 000003
【図２】
2005297717.tif 000004
【図３】
2005297717.tif 000005
【図４】
2005297717.tif 000006